(57)【要約】  【課題】  部品点数を増加させることなく、表示画面を前方に向けて起立状態となって本来の使用状態となる表示パネルユニットの下方に配置される本体ユニットの前面部に形成されたディスク挿入口の位置を視認し易くすることができるディスク装置を提供することである。  【解決手段】  表示画面３１ａを前方に向けて起立状態となる表示パネルユニット１０と、ディスク挿入口４４の形成された前面部が起立状態となる表示パネルユニット１０の下端部より後方に位置するように表示パネルユニット１０の下方に配置された本体ユニット４０とを有するディスクプ装置であって、表示パネルユニット１０は、その前面の表示画面３１ａ下方に位置する所定光透過部位１５を内方から照らす光源３２からの光の一部を本体ユニット４０の前面部に形成されたディスク挿入口４４の所定周辺部位Ａに至らせる光通過部１６を有する構成となる。【選択図】  図２
2006269011.tif 000002
【特許請求の範囲】
【請求項１】
表示画面を前方に向けて起立状態となる表示パネルユニットと、
ディスク挿入口の形成された前面部が起立状態となる前記表示パネルユニットの下端部より後方に位置するように前記表示パネルユニットの下方に配置された本体ユニットとを有するディスク装置であって、
前記表示パネルユニットは、
その前面の前記表示画面下方に位置する所定光透過部位を内方から照らす光源を備え、この光源からの光の一部を前記本体ユニットの前面部に形成された前記ディスク挿入口の所定周辺部位に至らせる光通過部を有することを特徴とするディスク装置。
【請求項２】
前記光源は、その点滅によって当該ディスク装置の動作状態及び非動作状態を表すインジケータ光源であることを特徴とする請求項１記載のディスク装置。
【請求項３】
前記表示パネルユニットは、枠部材と、該枠部材に収納される表示パネル本体とを有し、
前記所定光透過部位が前記枠部材の下端部前面に形成されると共に、前記光源が前記枠部材の内方から前記所定光透過部位を照らすように配置され、
前記光通過部は、前記枠部材に前記ディスク挿入口の所定周辺部位に向けて形成された開口部となることを特徴とする請求項１または２記載のディスク装置。
【請求項４】
前記表示パネル本体は、基板上に搭載された液晶パネルであり、
前記光源は、前記液晶パネルより下方の前記基板上に装着された発光素子となることを特徴とする請求項３記載のディスク装置。
【請求項５】
前記光通過部は、前記光源からの光の一部を前記ディスク挿入口の下端周辺部位に至らせることを特徴とする請求項１乃至４のいずれかに記載のディスク装置。
【発明の詳細な説明】
【技術分野】
【０００１】
本発明は、ＣＤ（コンパクトディスク）、ＤＶＤ（ディジタルバーサタイルディスク）、ＭＤ（ミニディスク）等のディスク状記録媒体から情報を再生するディスク装置に係り、詳しくは、表示画面を前方に向けて起立状態となる表示パネルユニットと、該表示パネルユニットの下方に配置され、前面部にディスク挿入口の形成された本体ユニットとを有するディスク装置に関する。
【背景技術】
【０００２】
所謂インダッシュタイプの車載オーディオ装置等のディスク装置は、筐体内に略水平状態で進退動可能に収納された表示パネルユニットと、該表示パネルユニットの下方に配置され、前記筐体から前面部が突出した状態で格納された本体ユニットとを有している。使用時には、表示パネルユニットが筐体から水平方向に引き出されて、その表示画面が前方（例えば、車両乗員に向く方向）に向くように起立状態にされる。この使用状態では、ディスク挿入口の形成された本体ユニットの前面部が起立状態となる表示パネルユニットの下端部より後方に位置するようになる。
【０００３】
このようなディスク装置では、その使用状態において本体ユニットの前面部が表示パネルユニットの下端部より後方に位置することから、前記表示パネルユニットの下端部の陰になって、本体ユニットの前面部に形成されたディスク挿入口が見難い。このため、特に夜間などでは、ＣＤ、ＤＶＤ等のディスク記録媒体をディスク挿入口から本体ユニットに挿入することが難しい。
【０００４】
従来、同種の問題を解決するために、本体ユニットの前面部に形成されたディスク挿入口を照明することが提案されている（例えば、特許文献１、特許文献２参照）。このようにディスク挿入口を照明することにより、ディスク挿入口の位置を視認しやすくなり、ディスク状記録媒体をディスク挿入口から本体ユニットに挿入することが容易になる。
【特許文献１】特許第２７１８６１０号公報
【特許文献２】特開２００３−３２７０５１号公報
【発明の開示】
【発明が解決しようとする課題】
【０００５】
しかしながら、従来提案されている第１の例（特許文献１参照）は、表示パネルユニットに設けられた専用光源（ＬＥＤ）によってディスク挿入口を照明する構造となっているため、専用光源の追加によるコストアップ、また、その専用光源を設けるために内部構造が複雑化してしまうという問題がある。また、従来提案されている第２の例（特許文献２参照）は、ディスク挿入口の形成された本体ユニットの前面部に開閉自在に設けられた液晶表示パネルを開いた状態で、前記液晶表示パネルのバックライトの輝度を最大にして本体ユニットの前面部を照明する構造となっている。しかし、このような構造のディスク装置では、部品点数の増加を招くことはないものの、液晶表示パネルが本来の使用状態にある場合には、ディスク挿入口を照明することができない。
【０００６】
本発明は、前記従来の問題を解決するためになされたもので、部品点数を増加させることなく、表示画面を前方に向けて起立状態となって本来の使用状態となる表示パネルユニットの下方に配置される本体ユニットの前面部に形成されたディスク挿入口の位置を把握し易くすることができるディスク装置を提供するものである。
【課題を解決するための手段】
【０００７】
本発明に係るディスク装置は、表示画面を前方に向けて起立状態となる表示パネルユニットと、ディスク挿入口の形成された前面部が起立状態となる前記表示パネルユニットの下端部より後方に位置するように前記表示パネルユニットの下方に配置された本体ユニットとを有するディスク装置であって、前記表示パネルユニットは、その前面の前記表示画面下方に位置する所定光透過部位を内方から照らす光源を備え、その光源からの光の一部を前記本体ユニットの前面部に形成された前記ディスク挿入口の所定周辺部位に至らせる光通過部を有する構成となる。
【０００８】
このような構成により、表示パネルユニットが表示画面を前方に向けて起立状態となる使用状態において、表示パネルユニットの前面の表示画面下方に位置する所定光透過部位を内方から照らす光源からの光の一部が表示パネルユニットの光通過部を通って表示パネルユニットの下端部より後方に位置するように当該表示パネルユニットの下方に配置された本体ユニットの前面部に形成されるディスク挿入口の所定部位周辺に至り、該ディスク挿入口の所定周辺部位が照明される。これにより、表示パネルユニットの前方から、明るくなった所定光透過部位と、照明されたディスク挿入口の所定周辺部位とを視認することができるようになる。
【０００９】
前記所定光透過部位は、表示パネルユニットの前面に装飾的に形成されるものであっても、光源の点滅に対応した何らかの機能を表す部位として利用されるものであっても、更に、例えば、キースイッチのキートップに形成される場合等、ある部位を明示するために用いられるものであってもよい。
【００１０】
本発明に係るディスク装置は、前記光源が、その点滅によって当該ディスク装置の動作状態及び非動作状態を表すインジケータ光源とすることができる。
【００１１】
このような構成により、ディスク装置の動作状態及び非動作状態を表すインジケータ光源を利用して、本体ユニットの前面部に形成されたディスク挿入口の所定周辺部位を照明することができるようになる。
【００１２】
また、本発明に係るディスク装置は、前記表示パネルユニットが、枠部材と、該枠部材に収納される表示パネル本体とを有し、前記所定光透過部位が前記枠部材の下端部前面に形成されると共に、前記光源が前記枠部材の内方から前記所定光透過部位を照らすように配置され、前記光通過部が、前記枠部材に前記ディスク挿入口の所定周辺部位に向けて形成された開口部とすることができる。
【００１３】
このような構成により、表示パネル本体を収納する枠部材に形成された開口部を通る光源からの光の一部によって、ディスク挿入口の所定周辺部位が照明されるようになる。
【００１４】
また、本発明に係るディスク装置は、前記表示パネル本体は、基板上に搭載された液晶パネルであり、前記光源は、前記液晶パネルより下方の前記基板上に装着された発光素子とすることができる。
【００１５】
このような構成により、表示パネル本体と光源としての発光素子とが同一の基板上に一体的に設けられるようになるので、表示パネルユニットの薄型化を図ることができるようになる。
【００１６】
また、本発明に係るディスク装置は、前記光通過部が、前記光源からの光の一部を前記ディスク挿入口の下端周辺部位に至らせる構成とすることができる。
【００１７】
このような構成により、本体ユニットの前面に形成されたディスク挿入口の下端周辺部が光源からの光の一部によって照明されるので、その下端周辺部位の位置から容易にディスク挿入口の位置を把握することができるようになる。
【発明の効果】
【００１８】
本発明に係るディスク装置によれば、表示パネルユニットの前面に形成された所定光透過部をその内方から照明する光源を、表示画面を前方に向けて起立状態となって本来の使用状態となる表示パネルユニットの下方に配置される本体ユニットの前面部に形成されたディスク挿入口の所定周辺部位を照明するためにも利用するようしているので、特に部品点数を増加させることなく、前記ディスク挿入口の位置を把握し易くすることができるようになる。
【発明を実施するための最良の形態】
【００１９】
以下、本発明の実施の形態について、図面を用いて説明する。
【００２０】
本発明の実施の一形態に係るディスク装置は、図１及び図２に示すように構成される。図１は、使用状態となるディスク装置の正面図であり、図２は、使用状態となるディスク装置の側面一部断面図である。
【００２１】
図１及び図２において、このディスク装置は、所謂インダッシュタイプの車載オーディオ装置であり、表示パネルユニット１０と本体ユニット４０とを有している。表示パネルユニット１０の下端部が筺体１００の上段側に進退動可能に収容された可動支持部材２０の先端部に回動自在に支持されている。表示パネルユニット１０は、図示されない収納時には、可動支持部材２０に略水平状態にて支持されて、可動支持部材２０と共に筺体１００内に収納されている。使用時には、可動支持部材２０がその先端部が筺体１００から突出するまで進出し、図２に示すように、表示パネルユニット１０が表示画面３１ａを前方（図２における左方向）に向けて起立状態にされる。
【００２２】
本体ユニット４０は、筺体１００の下段側にその先端部が突出した状態で固定収納されている。前記使用時において、表示パネルユニット１０に対する本体ユニット４０の位置関係は、その前面部が表示パネルユニット１０の下端部より後方（図２における右方向）に位置するように本体ユニット４０が表示パネルユニット１０の下方に配置されたものとなる。
【００２３】
表示パネルユニット１０は、枠部材１１を有し、枠部材１１内に基板３０が固定設置されている。液晶パネル３１（表示パネル本体）が基板３０上に搭載されており、液晶パネル３１の表示画面３１ａが枠部材１１から露出している。枠部材１１の背面には裏ブタ１２が着脱自在に嵌め込まれている。枠部材１１の下端部に位置するパネルノーズ部１１ａの前面の下端部には化粧パネル１３が設けられている。
【００２４】
基板３０は、液晶パネル３１の下方に更に延びており、液晶パネル３１の下方の基板３０の端部上にＬＥＤ３２（光源）が装着されている。ＬＥＤ３２は、当該ディスク装置が動作状態のときに点灯し、その非動作状態のときに消灯させられ、動作状態及び非動作状態を表すインジケータ光源となる。このように液晶パネル３１とＬＥＤ３２（光源）が同一の基板３０上に設けられることにより、表示パネルユニット１０の薄型化が図られている。
【００２５】
化粧パネル１３のＬＥＤ３２に対向する位置には半透明な合成樹脂板からなる光透過部位１５が形成され、光透過部位１５とＬＥＤ３２との間に、透明または半透明な合成樹脂からなる導光部材３３が配置されている。これにより、ＬＥＤ３２からの光が導光部材３３を通して光透過部位１５に至り、表示パネルユニット１０の内方から光透過部位１５がＬＥＤ３２によって照らされる。
【００２６】
本体ユニット４０は、本体ノーズパネル４１、本体ノーズ裏ブタ４２及びエスカッション４３を有し、エスカッション４３が筺体１０から露出し、エスカッション４３の前面に本体ノーズ裏ブタ４２が設けられ、更に、本体ノーズ裏ブタ４２の前面に本体ノーズパネル４１が設けられている。また、エスカッション４３の上方部には枠状のディスク挿入口４４が形成されている。このディスク挿入口４４の内周面を形成する下端面４４ｂは、上端面４４ａよりも前方へ突出しており、表示パネルユニット１０の下端部と対向している。これにより、本体ユニット４０の前面部には本体ノーズパネル４１とディスク挿入口４４が露出するようになる。筐体１００内の下段側には、ディスク挿入口４４から挿入されたディスク状記録媒体を回転駆動し、このディスク状記録媒体に記録された情報の再生および／またはディスク状記録媒体に対して情報を記録するディスク駆動部（図示せず）が設けられている。
【００２７】
表示パネルユニット１０において、更に、枠部材１１のパネルノーズ部１１ａの下端背面角部には、本体ユニット４０のディスク挿入口４４の下端周辺部となる本体ノーズパネル４１の上端角部に向いた開口部１６（光通過部）が形成されている。これにより、枠部材１１内のＬＥＤ３２の光の一部が開口部１６を通して本体ノーズパネル４１の上端角部に至り、本体ノーズパネル４１の前記上端角部にＬＥＤ３２によって照明される照明部位Ａが形成される。なお、本体ノーズパネル４１の前面側は、表面が鏡面仕上げされたアクリルまたはポリカーボネートなどの合成樹脂で形成されており、ＬＥＤ３２の光がこの本体ノーズパネル４１の前面の上端角部である照明部位Ａにて良好に反射されるようになっている。
【００２８】
このような構造となるディスク装置では、その使用時に、ＬＥＤ３２が点灯し、表示画面３１ａを前方に向けて起立状態となった表示パネルユニット１０のパネルノーズ部１１ａの化粧パネル１３に形成された光透過部位１５が照明され、明るく光る。これにより、利用者は、表示パネルユニット１０の前方から当該ディスク装置が動作状態であることを認識することができる（図１参照）。
【００２９】
このとき、表示パネルユニット１０の下方に配置される本体ユニット４０の前面部（エスカッション４３の上方）に形成されたディスク挿入口４４は、表示パネルユニット１０の下端部（パネルノーズ部１１ａ）の陰になって、表示パネルユニット１０の前方から直接は見難い。しかし、基板３０の下端部に搭載されたＬＥＤ３２からの光の一部が表示パネルユニット１０の枠部材１１に形成された開口部１６を通って本体ユニット４０の前面部に形成されたディスク挿入口４４の下端周辺部となる本体ノーズパネル４１の上端角部に至り、その部分が照明されて照明部位Ａが形成される（図１参照）。利用者は、表示パネルユニット１０の前方からその照明部位Ａを視認することができ、その上方に位置するディスク挿入口４４の位置を把握することができるようになる。そして、その照明部位Ａを目安にしてディスク状記録媒体をディスク挿入口４４から容易に本体ユニット４０に挿入することができるようになる。
【００３０】
本発明の実施の形態に係るディスクプ装置によれば、動作状態及び非動作状態を表すインジケータ光源となるＬＥＤ３２からの光の一部が起立状態となる表示パネルユニット１０の下端部（パネルノーズ部１１ａ）の陰になって視認し難い本体ユニット４０の前面部に形成されたディスク挿入口４４の下端周辺部を照明するためにも利用されるので、部品点数を特に増加させなくても、その照明により形成される照明部位Ａによって、ディスク挿入口４４の位置を容易に把握することができるようになる。
【００３１】
なお、前述した例では、ＬＥＤ３２からの光の一部によって本体ユニット４０の前面部にある本体ノーズパネル４１の上端角部（ディスク挿入口４４の下端周辺部）を照明するために、表示パネルユニット１０の枠部材１１に開口部１６が形成されたが、単なる開口部１６だけでなく、ＬＥＤ３２からの光の一部をディスク挿入口４４の下端面４４ｂに向けて積極的に導く導光部材を設けるようにしてもよい。
【００３２】
また、動作状態及び非動作状態を表すインジケータ光源として用いられるＬＥＤ３２をディスク挿入口４４の周辺部位（本体ノーズパネル４１の上端角部）を照明するために利用したが、表示パネルユニット１０に設けられる他の光源、例えば、意匠的に形成された光透過部位を照明するための光源、表示パネルユニット１０の前面に設けられるある部位（例えば、キートップ）を明示するために形成された光透過部位を照明するための光源、更に、点滅状態によってある機能を表す光源からの光を利用してディスク挿入口４４の周辺部位を照明するように構成することもできる。
【産業上の利用可能性】
【００３３】
本発明に係るディスク装置は、部品点数を増加させることなく、表示画面を前方に向けて起立状態となって本来の使用状態となる表示パネルユニットの下方に配置される本体ユニットの前面部に形成されたディスク挿入口の位置を把握し易くすることができるという効果を有し、表示画面を前方に向けて起立状態となる表示パネルユニットと、該表示パネルユニットの下方に配置され、前面部にディスク挿入口の形成された本体ユニットとを有するディスク装置として有用である。
【図面の簡単な説明】
【００３４】
【図１】本発明の実施の一形態に係るディスク装置の正面図である。
【図２】本発明の実施の形態に係るディスク装置の側面一部断面図である。
【符号の説明】
【００３５】
１０  表示パネルユニット
１１  枠部材
１１ａ  パネルノーズ部
１２  裏ブタ
１３  化粧パネル
１５  光透過部位
１６  開口部
２０  可動支持部材
３０  基板
３１  液晶表示パネル（表示パネル本体）
３２  ＬＥＤ（光源）
３３  導光部材
４０  本体ユニット
４１  本体ノーズパネル
４２  本体ノーズ裏ブタ
４３  エスカッション
４４  ディスク挿入口
１００  筐体
Ａ  照明部位
【図１】
2006269011.tif 000003
【図２】
2006269011.tif 000004